(57)【要約】【課題】リップ部のねじれを防止しつつ、小型化を図ることができるリップシール装置を提供する。【解決手段】リップシール装置１は、一面１１と、一面１１から突出した段差部１２と、を有する環状の支持部１０を備えている。また、リップシール装置１は、一面１１に配置されていると共に、一面１１を基準として段差部１２から突出した環状のリップ部２０を備えている。リップ部２０は、一面１１に接触した底面２１と、段差部１２の壁面１４に接触した接触面２２と、接触面２２とは反対側の側面２３と、段差部１２から突出した先端部２４と、を有している。また、リップ部２０は、接触面２２を基準として側面２３側に傾斜した傾斜面２５を有している。これにより、リップ部２０は、先端部２４が壁面１４とは反対側に変形した状態でインナーパネル２００に接触する。【選択図】図２
2016014440.tif 000002
【特許請求の範囲】
【請求項１】
一面（１１）と、この一面（１１）から突出した壁部（１２、１７）と、を有する環状の支持部（１０）と、
前記一面（１１）に配置されていると共に、前記一面（１１）を基準として前記壁部（１２、１７）から突出した環状のリップ部（２０）と、
を備え、
前記リップ部（２０）は、前記一面（１１）に接触した底面（２１）と、前記壁部（１２、１７）に接触した接触面（２２）と、前記接触面（２２）とは反対側の側面（２３）と、前記壁部（１２、１７）から突出した先端部（２４）と、を有しており、
前記リップ部（２０）は、前記先端部（２４）が被シール体（２００、３００）に押さえつけられたときに、前記底面（２１）が前記一面（１１）に押さえつけられると共に前記接触面（２２）が前記壁部（１２、１７）に押さえつけられることにより、前記先端部（２４）が前記壁部（１２、１７）とは反対側に変形した状態で前記被シール体（２００、３００）に接触するようになっていることを特徴とするリップシール装置。
【請求項２】
前記リップ部（２０）は、前記先端部（２４）のうちの前記壁部（１２、１７）側に設けられていると共に、前記接触面（２２）を基準として前記側面（２３）側に傾斜した傾斜面（２５）を有していることを特徴とする請求項１に記載のリップシール装置。
【請求項３】
前記リップ部（２０）は、前記側面（２３）の一部または全体が前記接触面（２２）側に湾曲状に凹んだ湾曲部（２７）を有していることを特徴とする請求項１または２に記載のリップシール装置。
【請求項４】
前記壁部は、前記支持部（１０）の一部が段差状に形成された段差部（１２）によって構成されたものであることを特徴とする請求項１ないし３のいずれか１つに記載のリップシール装置。
【請求項５】
前記壁部は、前記支持部（１０）の一面（１１）から突出した突起部（１７）によって構成されたものであることを特徴とする請求項１ないし３のいずれか１つに記載のリップシール装置。
【請求項６】
車両のドアに収容されると共に前記ドアに対する側突を検出する側突検知用センサ（１００）と、前記ドアに収容されると共に前記側突検知用センサ（１００）が固定されるインナーパネル（２００）と、の間に配置されることを特徴とする請求項１ないし５のいずれか１つに記載のリップシール装置。
【発明の詳細な説明】
【技術分野】
【０００１】
本発明は、被シール体に対するシール性を確保するリップシール装置に関する。
【背景技術】
【０００２】
従来より、被シール部品との間の隙間を塞ぐためのリップシールが、例えば特許文献１で提案されている。具体的には、被シール部品の外壁面と摺接するリップ部材と、リップ部材の先端をリップシールに対する被シール部品の挿入方向に倒すためのバックアップ部品と、を備えた構成が提案されている。
【０００３】
このような構成によると、被シール部品がリップシールに挿入された際に、リップ部材が被シール部品の外壁面を押さえつけるように変形すると共に当該外壁面と摺接するので、被シール部品に対するシール性が確保される。
【０００４】
また、リップ部材がリップシールに対する被シール部品の挿入方向に予め倒されているので、リップ部材が当該リップ部材の位置によって当該挿入方向とは異なる任意の方向にねじれないようになっている。つまり、リップ部材は必ず一方向に変形している。
【先行技術文献】
【特許文献】
【０００５】
【特許文献１】実開平２−１１０７６０号公報
【発明の概要】
【発明が解決しようとする課題】
【０００６】
しかしながら、上記従来の技術では、リップ部品のねじれを防止するためにバックアップ部品が予めリップシールに設けられているので、リップシールの構造が大型化してしまうという問題がある。
【０００７】
したがって、本発明は上記点に鑑み、リップ部のねじれを防止しつつ、小型化を図ることができるリップシール装置を提供することを目的とする。
【課題を解決するための手段】
【０００８】
上記目的を達成するため、請求項１に記載の発明では、一面（１１）と、この一面（１１）から突出した壁部（１２、１７）と、を有する環状の支持部（１０）を備えている。また、一面（１１）に配置されていると共に、一面（１１）を基準として壁部（１２、１７）から突出した環状のリップ部（２０）を備えている。
【０００９】
さらに、リップ部（２０）は、一面（１１）に接触した底面（２１）と、壁部（１２、１７）に接触した接触面（２２）と、接触面（２２）とは反対側の側面（２３）と、壁部（１２、１７）から突出した先端部（２４）と、を有している。
【００１０】
そして、リップ部（２０）は、先端部（２４）が被シール体（２００、３００）に押さえつけられたときに、底面（２１）が一面（１１）に押さえつけられると共に接触面（２２）が壁部（１２、１７）に押さえつけられることにより、先端部（２４）が壁部（１２、１７）とは反対側に変形した状態で被シール体（２００、３００）に接触するようになっていることを特徴とする。
【００１１】
これによると、リップ部（２０）の先端部（２４）が被シール体（２００、３００）に接触したときに、リップ部（２０）の接触面（２２）が支持部（１０）の壁面（１４）から反力を受ける。このため、リップ部（２０）の先端部（２４）を、壁面（１４）側とは反対側、すなわち壁部（１２、１７）から反力を受けない側面（２３）側に変形させることができる。つまり、リップ部（２０）の先端部（２４）を必ず壁部（１２、１７）とは反対方向に倒すことができる。また、追加の部品が不要になるので、装置全体の小型化を図ることができる。したがって、リップ部（２０）のねじれを防止しつつ、小型化を図ることができる。
【００１２】
なお、この欄及び特許請求の範囲で記載した各手段の括弧内の符号は、後述する実施形態に記載の具体的手段との対応関係を示すものである。
【図面の簡単な説明】
【００１３】
【図１】本発明の第１実施形態に係るリップシール装置の平面図である。
【図２】図１のII−II断面図である。
【図３】側突検知用センサの外観を示した図である。
【図４】リップ部の先端部がインナーパネルに接触させられた状態を示した断面図である。
【図５】リップ部の先端部が変形していく様子を示した断面図である。
【図６】本発明の第２実施形態に係るリップシール装置の断面図である。
【図７】本発明の第３実施形態に係るリップシール装置の断面図である。
【図８】本発明の第４実施形態に係るリップシール装置の断面図である。
【図９】本発明の第５実施形態に係るリップシール装置の使用例を示した断面図である。
【発明を実施するための形態】
【００１４】
以下、本発明の実施形態について図に基づいて説明する。なお、以下の各実施形態相互において、互いに同一もしくは均等である部分には、図中、同一符号を付してある。
【００１５】
（第１実施形態）
以下、本発明の第１実施形態について図を参照して説明する。本実施形態に係るリップシール装置は、一方と他方とをシールして気密性を確保することにより、一方から他方への気体や液体の漏れを防止するものである。リップシール装置は、いわゆるガスケットである。図１及び図２に示されるように、リップシール装置１は、支持部１０及びリップ部２０を備えて構成されている。
【００１６】
支持部１０は、リップ部２０を支持する環状のものである。支持部１０は例えば樹脂材料が所定の形状に樹脂成形されたことにより構成されている。図２に示されるように、支持部１０は、一面１１及び段差部１２を有している。
【００１７】
一面１１は、支持部１０の一方の端面の一部である。一面１１は、当該一方の端面のうちの支持部１０の外周面１３側に設けられている。また、段差部１２は、一面１１から突出した部分であり、一面１１に接続された壁面１４を有している。段差部１２は支持部１０の内周面１５側に設けられている。すなわち、段差部１２は、支持部１０のうちの外周面１３側の一部が凹まされたことにより段差状に形成された部分であり、壁部を構成している。
【００１８】
リップ部２０は、支持部１０の外周面１３側と内周面１５側とをシールする環状のものである。リップ部２０は、支持部１０の一面１１に配置されている。このようなリップ部２０は、支持部１０よりも柔らかい材料（例えばゴム）で形成されている。
【００１９】
また、リップ部２０は、支持部１０の一面１１を基準として段差部１２から突出するように構成されている。具体的に、リップ部２０は、底面２１、接触面２２、側面２３、先端部２４、及び傾斜面２５を有して構成されている。
【００２０】
底面２１は、支持部１０の一面１１に接触した面である。接触面２２は、段差部１２の壁面１４に接触した面である。側面２３は、接触面２２とは反対側の面である。接触面２２がリップ部２０の内周面に対応し、側面２３がリップ部２０の外周面に対応する。先端部２４は、リップ部２０のうち段差部１２から突出した部分である。
【００２１】
そして、傾斜面２５は、リップ部２０の先端部２４のうちの段差部１２の壁面１４側に設けられた面である。言い換えると、傾斜面２５はテーパ面である。傾斜面２５は、接触面２２側から側面２３側に傾斜している。つまり、傾斜面２５は、接触面２２に対して鈍角に傾斜していると共に、側面２３に対して鋭角に傾斜している。これにより、先端部２４の厚みが先端に向かって小さくなっている。なお、先端部２４の先端はＲ形状になっている。
【００２２】
さらに、リップ部２０はアンカー部２６を有している。図１に示されるように、アンカー部２６は、支持部１０に設けられた孔部１６に差し込まれていると共に孔部１６にアンカー固定されている。これにより、支持部１０とリップ部２０とが一体化されている。以上が、本実施形態に係るリップシール装置１の全体構成である。
【００２３】
次に、リップシール装置１の使用形態について説明する。本実施形態では、リップシール装置１は、側突検知用センサとインナーパネルとの間に配置される。側突検知用センサ１００は、車両のドアに収容されると共に車両のドアに他の車両等が衝突したことを検出する圧力センサとして構成されたものである。側突検知用センサによる測定結果は、エアバッグ等の乗員保護装置を動作させるために用いられる。インナーパネルは、車両のドアに収容されると共に側突検知用センサが固定される板部材である。
【００２４】
図３に示されるように、側突検知用センサ１００のケース１１０には凹部１２０が設けられている。そして、この凹部１２０にリップシール装置１の支持部１０がはめ込まれている。そして、リップ部２０がインナーパネル２００に接触した状態で側突検知用センサ１００がドアのインナーパネルに固定される。
【００２５】
このとき、図４に示されるように、まず、リップ部２０の先端部２４がインナーパネル２００に接触する。そして、図５に示されるように、先端部２４がインナーパネル２００側に押さえ付けられると、先端部２４が傾斜面２５に沿ってインナーパネル２００を滑りながら一方向に変形する。すなわち、リップ部２０がインナーパネル２００に摺接する。一方向とは、支持部１０の壁面１４側とは反対側の方向である。さらに、先端部２４がインナーパネル２００に押さえ付けられることで、外部圧力（Ｐ）が先端部２４に加わる。これにより、リップ部２０によるシール性が安定する。
【００２６】
具体的には、リップ部２０は、先端部２４がインナーパネル２００に押さえつけられたときに、底面２１が支持部１０の一面１１に押さえつけられると共に接触面２２が段差部１２の壁面１４に押さえつけられる。すなわち、リップ部２０の接触面２２が支持部１０の壁面１４から反力を受ける。また、リップ部２０の側面２３には力が加わらない状態になっている。これにより、リップ部２０の先端部２４を、壁面１４側とは反対側の側面２３側に容易に変形させることができる。また、先端部２４に設けられた傾斜面２５によってリップ部２０をより容易に確実に壁面１４とは反対方向の側面２３側に倒れさせることができる。つまり、リップ部２０の先端部２４を必ず側面２３側に倒すことができる。したがって、リップ部２０の先端部２４が支持部１０の壁面１４とは反対側に変形した状態でインナーパネル２００に接触するようになっている。
【００２７】
以上により、車両のドアに搭載される側突検知用センサ１００とドアのインナーパネル２００との間がシールされる。側突検知用センサ１００は、被水環境に晒されるので、インナーパネル２００のうち車両の外側から内側への水の浸入を防止することができる。
【００２８】
そして、上記のリップシール装置１の構成によってリップ部２０の先端部２４を必ず支持部１０の壁面１４とは反対側に倒すことができるので、追加の部品を必要とせずに装置全体の小型化を図ることができる。したがって、リップ部２０のねじれを防止しつつ、小型化を図ることができる。
【００２９】
なお、本実施形態の記載と特許請求の範囲の記載との対応関係については、段差部１２が特許請求の範囲の「壁部」に対応する。また、インナーパネル２００が特許請求の範囲の「被シール体」に対応する。
【００３０】
（第２実施形態）
本実施形態では、第１実施形態と異なる部分  について説明する。図６に示されるように、リップ部２０は湾曲部２７を有している。湾曲部２７は、リップ部２０の側面２３の一部が接触面２２側に湾曲状に凹んだ部分である。なお、湾曲部２７は、リップ部２０の側面２３の全体に設けられていても良い。この場合、側面２３は平面ではなく側面２３の全体が湾曲している。
【００３１】
以上説明したように、リップ部２０の側面２３側が湾曲部２７の湾曲形状に従って変形しやすくなるので、先端部２４を確実に一方向に変形させることができる。なお、本実施形態において、リップ部２０に傾斜面２５が設けられていない構成でも良い。
【００３２】
（第３実施形態）
本実施形態では、第１、第２実施形態と異なる部分について説明する。図７に示されるように、支持部１０は突起部１７を有して構成されている。突起部１７は支持部１０の一面１１から突出した部分であり、壁部を構成する部分である。このように、支持部１０のうちリップ部２０の接触面２２に接触する部分は突起部１７でも良い。
【００３３】
なお、本実施形態の記載と特許請求の範囲の記載との対応関係については、突起部１７が特許請求の範囲の「壁部」に対応する。
【００３４】
（第４実施形態）
本実施形態では、第１〜第３実施形態と異なる部分について説明する。本実施形態では、図８に示されるように、リップ部２０は、上述の傾斜面２５や湾曲部２７が設けられていない形状でも良い。
【００３５】
（第５実施形態）
本実施形態では、第１〜第４実施形態と異なる部分について説明する。図９に示されるように、リップシール装置１は、シャフト等の円柱部材３００をシールするように構成されている。このように、リップシール装置１は、柱形状に対するシールも行うことができる。
【００３６】
なお、本実施形態の記載と特許請求の範囲の記載との対応関係については、円柱部材３００が特許請求の範囲の「被シール体」に対応する。
【００３７】
（他の実施形態）
上記各実施形態で示されたリップシール装置１の構成は一例であり、上記で示した構成に限定されることなく、本発明を実現できる他の構成とすることもできる。例えば、被シール体の形状に応じて支持部１０やリップ部２０の形状を適宜変更することができる。また、シール対象は、側突検知用センサ１００、インナーパネル２００、円柱部材３００に限られず、他の被シール体に対してリップシール装置１を適用することができる。
【符号の説明】
【００３８】
１０    支持部
１１    一面
１２    段差部（壁部）
２０    リップ部
２１    底面
２３    側面
２４    先端部
２００  インナーパネル（被シール体）
【図１】
2016014440.tif 000003
【図２】
2016014440.tif 000004
【図３】
2016014440.tif 000005
【図４】
2016014440.tif 000006
【図５】
2016014440.tif 000007
【図６】
2016014440.tif 000008
【図７】
2016014440.tif 000009
【図８】
2016014440.tif 000010
【図９】
2016014440.tif 000011